(57)【特許請求の範囲】
【請求項１】
並列に配列された２以上の三角柱と駆動源とを有し、各三角柱のそれぞれの面には、特定の標識を表す文字や図形の一部が標記され、各三角柱の各面に標記された文字や図形の組合わせによって３種類の標識を構成させ、各三角柱を１２０度ずつ回転させて各三角柱の各面に標記された３種類の標識を切替表示する３可変標識の駆動機構であって、
駆動源と各三角柱とは、それぞれクランクを備え、
クランクは、各三角柱の上下に備え、駆動源のクランクは三角柱の上部または下部のコネクティングロッドと連結され、各三角柱の上部のクランクと、下部のクランクとの位相を一定角度ずらせたものであり、駆動源の回転力は、駆動源のクランクからコネクティングロッドを通じて各三角柱のクランクに伝達され、
各三角柱は一斉に回転駆動され、あらかじめ位置決めされた各標識の表示位置に停止するものであることを特徴とする３可変標識の駆動機構。
【発明の詳細な説明】
【０００１】
【発明の属する技術分野】
本発明は、文字や図形による３種類の標識を切り替え表示する３可変標識の駆動機構に関する。
【０００２】
【従来の技術】
３種類の標識を切り替え表示する３可変標識には、従来よりフィルム（ポリエステルフィルム）の面に３種類の標識を標記し、これを表示器に内蔵し、フィルムを軸に巻き取ることによって、フィルムに標記された３種類の標識を切り替えて特定の標識を表示窓に表示するのフィルム巻き取り方式が主として用いられてきた。
【０００３】
しかし、３可変標識の表示用のフィルムにポリエステルフィルムを用いるときには、フィルムの巻き取りによって標識の切り替えを行うものであるため、表示窓に対する各標識の位置は、フィルムの巻き取り量によって決定され、フィルムの伸びなど起因する巻き取り量の狂いが標識の標示のずれとなり、表示の安定性に欠け、また、耐候性に劣り、保守、管理が厄介であった。
【０００４】
このような問題を改善するため、３角柱を用いた３可変標識（３角柱方式という）が開発された。３角柱方式は、並列に配列された２以上の三角柱の各々の面に、特定の標識を表す文字や図形の一部を標記し、各三角柱の各面に標記された文字や図形の組合わせによって３種類の標識を構成させるものであり、各三角柱を１２０度ずつ回転させることにより、各三角柱の各面に標記された３種類の標識が切替表示される。
【０００５】
３角柱方式によれば、三角柱を用いるため、フィルム巻き取り方式のようにフィルムの伸びなどに起因する表示のずれが生ずることがない。しかしながら、従来の３角柱方式においては、各３角柱の回転駆動機構に、平歯車または傘歯車による歯車機構が用いられていたため、重量が大きく、機構が大掛かりとなり、したがって、表示器が大型化し、さらには歯飛び、歯の磨耗のため保守、管理が必ずしも簡略化されず、また、モータの回転を減速させて各３角柱を駆動するため、標識の表示切替は必ずしもすばやく、スムーズに行うことができるわけではなかった。
【０００６】
本発明の目的は、構造を簡略化し、軽量で、スムーズに回転駆動して３種類の標識を切り替え表示する３可変標識の駆動機構を提供することにある。
【０００７】
【課題を解決するための手段】
上記目的を達成するため、本発明による３可変標識の駆動機構においては、並列に配列された２以上の三角柱と駆動源とを有し、各三角柱のそれぞれの面には、特定の標識を表す文字や図形の一部が標記され、各三角柱の各面に標記された文字や図形の組合わせによって３種類の標識を構成させ、各三角柱を１２０度ずつ回転させて各三角柱の各面に標記された３種類の標識を切替表示する３可変標識の駆動機構であって、
駆動源と各三角柱とは、それぞれクランクを備え、
クランクは、各三角柱の上下に備え、駆動源のクランクは三角柱の上部または下部のコネクティングロッドと連結され、各三角柱の上部のクランクと、下部のクランクとの位相を一定角度ずらせたものであり、駆動源の回転力は、駆動源のクランクからコネクティングロッドを通じて各三角柱のクランクに伝達され、
各三角柱は一斉に回転駆動され、あらかじめ位置決めされた各標識の表示位置に停止するものである。
【００１１】
【発明の実施の形態】
以下に本発明による３可変標識の駆動機構の実施形態を図によって説明する。本発明による３可変標識は、交通標識であり、図１に示すように表示器１を有し、表示器１は、路上に設立された支柱２に取付けられる。３可変標識は、図２に示すように、３種類の標識、例えば、バス専用道路の標識Ａと、バス専用車線の標識Ｂと、制限速度の標識Ｃとの表示切替を行うものである。
【００１２】
図３に表示器の構造を示す。図３において、表示器１は、３可変標識を構成する複数本の三角柱３，３，・・・の組と、三角柱の組を収容するケース４とからなっているものである。複数本の三角柱３，３，・・・の組は、垂直姿勢でケース４内に並列に配列され、各三角柱は、横断面が三角形の柱であり、三角形の各面には、特定の標識、図２の例でいえば、バス専用道路の標識Ａと、バス専用車線の標識Ｂと、制限速度の標識Ｃを表す文字や図形の一部が標記され、複数本の三角柱の第１面がそろってケース４の表示窓５に向きあわされたときに第１の標識（例えば第２図（Ａ）の標識）、第２面がそろってケース４の表示窓５に向きあわされたときに第２の標識（例えば第２図（Ｂ）の標識）、第３面がそろってケース４の表示窓５に向きあわされたときに第３の標識（例えば第２図（Ｃ）の標識）が表示窓５内に現示されるものである。この実施形態においては、６本の三角柱３，３，・・・が並列に配列されて１つの標識、したがって、３面の切り替えによって３種類の標識が形成される例を示している。
【００１３】
図４に本発明による可変標識の駆動機構を示す。本発明による３可変標識の駆動機構においては、各三角柱３の上（下）の回転軸６（７）がケースの軸受け部に回転可能に軸支され、各三角柱３の上下の回転軸６，７に、水平方向に張り出してそれぞれ別個に上部クランク８、下部クランク９が取付けられ、各上部クランクを上部コネクティングロッド１２で連結し、各下部クランク９を下部コネクティングロッド１３で連結したものである。
【００１４】
モータ１０は、各三角柱３を一斉に回転駆動するものであり、この実施形態においては、モータ軸にクランク１１を取付け、モータ１０のクランク１１を下部コネクティングロッド１３に連結した例を示している。したがって、モータ１０の回転力は、コネクティングロッド１３を通じて各三角柱３に伝達され、上部コネクティングロッド１２は、各三角柱３の回転にしたがって同期回転するようになっている。
【００１５】
また、本発明において、上部クランク８と、下部クランク９とは、図４（ａ）、（ｂ）に示すように位相を一定角度（９０°）ずらせてあり、一方のクランク８又は９がコネクティングロッド１２（１３）に対して死点配列になったとしても、他方のクランクの回転を可能として各三角柱３の回転不能の事態が回避される。
【００１６】
駆動源は、各クランクを一斉に回転駆動して各標識の表示位置に位置決めして各三角柱を停止させる制御機構を有している。図５において、制御機構は、各三角柱３の下端回転軸のうち、第１の回転軸７ａ〜第４の回転軸７ｄには、カムＣ１、Ｃ２、Ｃ３、Ｃ４が取付けられ、それぞれのカムに対応してリミットスイッチＳ１、Ｓ２、Ｓ３、Ｓ４が設置されている。リミットスイッチＳ１、Ｓ２、Ｓ３、Ｓ４それぞれのカムＣ１、Ｃ２、Ｃ３、Ｃ４の特定部分（カム溝）を検知して制御信号を発するものである。
【００１７】
図６にカムの配列組合わせの例を示す。カムＣ１、Ｃ２、Ｃ３は、標識の位置検知動作用であり、カムＣ４は、標識位置検知不能動作用である。制御機からの駆動信号をうけると、モータ１０は直ちに回転し、各三角柱３を一斉に同期転回させ、１２０度ずつの転回角度で３種類のうちの特定の標識Ａ、Ｂ又はＣを指定された表示位置に変更する。標識の移動速度は、例えば１可変標識あたり、２０°／ｓｅｃ以下に設定されており、各リミットスイッチの「ＯＮ」、「ＯＦＦ」信号の組合わせによって、各標識の表示位置が決定される。表１にその組合わせ例を示す。
【００１８】
【表１】
0003584371.tif 000002
【００１９】
なお、Ｓ４は、制御機から駆動信号を受け、一定時間以内に、指定された標識を表示位置に変更できなかった場合に、標識の表示を停止させる機能を実行するスイッチである。この機能を「ＯＶＲ」という。「ＯＶＲ」の停止位置は、３種類の標識の内で最も規制力の少ない標識を表示窓に表し、しかも外部から故障であると認識できるように正規の位置からずれた位置である。
【００２０】
本発明において、スイッチＳ１〜Ｓ３の「ＯＮ」「ＯＦＦ」の組合わせによって形成される標識Ａ、ＢまたはＣの何れか一つが制御機において決定され、制御機から発せられる標識Ａ、Ｂ又はＣの何れかの標識の表示の指示をうけて駆動機構のモータ１０が回転し、その回転力が各三角柱３に伝えられ、各三角柱３は、現在表示している標識から、次に表示すべき表示必要な回転角に制御されて標識Ａ、Ｂ又はＣの表示に必要な位置で停止し、所定の標識の表示を行う。
【００２１】
また、仮に各三角柱３の停止位置において、モータ１０のクランク１１は、下部クランク９と同位相になっており、各三角柱３のクランク８（または９）がコネクティングロッド１２（または１３）に対して死点配列になったとしても、何れか一方のコネクティングロッドの駆動は可能であり、表示切替には何ら支障をきたさない。
【００２２】
【発明の効果】
以上のように本発明によるときには、クランクを用いて各三角柱を一斉に回転駆動し、特に駆動源のモータと、各三角柱のクランクとをコネクティングロッドによって連結し、モータの回転力をコネクティングロッドを通じて各三角柱を回転させるとともに、各標識の表示位置に位置決めして各三角柱を停止させるため、簡単な構造ながら確実に３種類の標識を切り替え表示することができる。
【００２３】
また、各三角柱は、両端の回転軸に備えたそれぞれのクランクによって回転駆動され、さらに、各三角柱の下部のクランクと、上部のクランクとは、コネクティングロッドに対し、位相を一定角度ずらせたため、三角柱をスムーズに回転駆動して標識の切替を行うことができる効果を有する。
【図面の簡単な説明】
【図１】３可変標識の設置例を示す図である。
【図２】３種類の標識の例を示す図である。
【図３】（ａ）は表示器の正面図、（ｂ）同平面図である。
【図４】（ａ）は、三角柱の上部クランクと、これらクランクを連結する上部コネクティングロッドとの関係を示す図、（ｂ）は、三角柱の下部クランクとモータのクランクと、これらのクランクを連結するコネクティングロッドとの関係を示す図、（ｃ）は、上下にクランクを備えた三角柱の正面図である。
【図５】三角柱の下部回転軸の駆動機構とその制御機構を示す図である。
【図６】カムの配列組合わせの例を示す図である。
【符号の説明】
１  表示器
２  支柱
３  三角柱
４  ケース
５  表示窓
６，７  回転軸
８，９  回転軸のクランク
１０  モータ
１１  モータのクランク
１２，１３  コネクティングロッド
Ｓ１〜Ｓ４  リミットスイッチ
Ｃ１〜Ｃ４  カム
【図１】
0003584371.tif 000003
【図２】
0003584371.tif 000004
【図３】
0003584371.tif 000005
【図４】
0003584371.tif 000006
【図５】
0003584371.tif 000007
【図６】
0003584371.tif 000008